(57)【要約】【課題】ユーザが保持する記録媒体に印刷可能な印刷物に関する情報を記録することによって、ユーザ自身の手を煩わす事無く、ユーザが必要な印刷物を出力することができる画像処理システム、画像処理装置、制御方法、プログラム、記録媒体を提供することを目的とする。【解決手段】複合機１００自身が、印刷対象となる印刷データに関する情報及び印刷データを記憶管理するサーバ２００のアクセス先情報を記録した認証キー３０１の情報を読み取ることによって、サーバ２００で一括管理されている印刷データを取得し、取得した印刷データを複合機１００において印刷あるいはファイル出力する。【選択図】図１
2011138412.tif 000002
【特許請求の範囲】
【請求項１】
記録媒体に対する読取及び書込可能な画像処理装置と印刷データを記憶管理する情報処理装置とがネットワークを介して接続された画像処理システムにおいて、
前記画像処理装置は、
印刷出力対象となる印刷データが記憶されている領域へアクセスするためのアクセス先情報を前記記録媒体に対して読取及び書込可能な設定部と、
前記設定部によって読取ったアクセス先情報を送信すると共に、送信部によって送信された印刷データを受信するデータ取得部と、
前記データ取得部によって取得した印刷データを印刷出力する印刷部と、
を備え、
前記情報処理装置は、
前記データ取得部によって送信されたアクセス先情報を受信する情報処理装置受信部と、
前記情報処理装置受信部によって受信したアクセス先情報に対応する印刷データを取得する取得部と、
前記取得部によって取得した印刷データを前記画像処理装置へ送信する送信部と、
を備えたことを特徴とする画像処理システム。
【請求項２】
前記画像処理装置は、
前記設定部によって読取ったアクセス先情報を表示した後、ユーザが表示された前記アクセス先情報を選択して印刷指示の入力を行う操作部を更に備え、
前記データ取得部は、前記操作部によって選択されたアクセス先情報を送信すると共に、前記送信部によって送信された印刷データを受信することを特徴とする請求項１に記載の画像処理システム。
【請求項３】
前記画像処理装置は、
前記データ取得部によって取得した印刷データをファイル出力する出力部と、
前記データ取得部によって取得したデータを印刷出力あるいはファイル出力をユーザが選択する選択操作部と、
前記選択操作部によって印刷出力が選択された場合、前記印刷部によって印刷出力を行い、一方、前記選択操作部によってファイル出力が選択された場合、前記出力部によってファイル出力を行う制御部と、
を更に備えたことを特徴とする請求項１または請求項２に記載の画像処理システム。
【請求項４】
前記設定部は、前記印刷出力対象となる印刷データの最大出力回数を前記記録媒体に対して読取及び書込可能であると共に、前記印刷出力あるいはファイル出力を行う度に出力回数に１を加算して前記記録媒体に書込を行い、前記制御部は、前記出力回数が前記最大出力回数を超えた場合、前記印刷データに対する前記印刷部及び前記出力部の実行を不可とすることを特徴とする請求項３に記載の画像処理システム。
【請求項５】
前記設定部は、前記印刷出力対象となる印刷データの出力期限を前記記録媒体に対して読取及び書込可能であると共に、前記制御部は、前記出力期限を超えた前記印刷データに対する前記印刷部及び前記出力部の実行を不可とすることを特徴とする請求項３に記載の画像処理システム。
【請求項６】
前記設定部は、前記記録媒体の最大使用回数を前記記録媒体に対して読取及び書込可能であると共に、前記画像処理装置で前記記録媒体が読取られる度に使用回数に１を加算して前記記録媒体に書込を行い、前記制御部は、前記使用回数が前記最大使用回数を超えた場合、前記画像処理装置から前記記録媒体のとりはずし以外の処理を実行不可とすることを特徴とする請求項２乃至５の何れか１項に記載の画像処理システム。
【請求項７】
前記設定部は、前記記録媒体の使用可能期限を前記記録媒体に対して読取及び書込可能であり、前記制御部は、使用可能期限を超えた場合、前記画像処理装置から前記記録媒体のとりはずし以外の処理を実行不可とすることを特徴とする請求項２乃至６の何れか１項に記載の画像処理システム。
【請求項８】
印刷データを記憶管理する情報処理装置と記録媒体に対する読取及び書込可能な画像処理装置とがネットワークを介して接続されており、前記画像処理装置からの前記印刷データの要求に対して前記情報処理装置から印刷データを受信する前記画像処理装置であって、
前記画像処理装置は、
印刷出力対象となる印刷データが記憶されている領域へアクセスするためのアクセス先情報を前記記録媒体に対して読取及び書込可能な設定部と、
前記設定部によって読取ったアクセス先情報を前記情報処理装置へ送信すると共に、前記情報処理装置によって送信された印刷データを受信するデータ取得部と、
前記データ取得部によって取得した印刷データを印刷出力する印刷部と、
を備えたことを特徴とする画像処理装置。
【請求項９】
記録媒体に対する読取及び書込可能な画像処理装置と印刷データを記憶管理する情報処理装置とがネットワークを介して接続された画像処理システムの制御方法において、
前記画像処理装置は、
印刷出力対象となる印刷データが記憶されている領域へアクセスするためのアクセス先情報を前記記録媒体に対して読取及び書込可能な設定工程と、
前記設定工程によって読取ったアクセス先情報を送信すると共に、送信部によって送信された印刷データを受信するデータ取得工程と、
前記データ取得工程によって取得した印刷データを印刷出力する印刷工程と、
を備え、
前記情報処理装置は、
前記データ取得工程によって送信されたアクセス先情報を受信する情報処理装置受信工程と、
前記情報処理装置受信工程によって受信したアクセス先情報に対応する印刷データを取得する取得工程と、
前記取得工程によって取得した印刷データを前記画像処理装置へ送信する送信工程と、
を備えたことを特徴とする画像処理システムの制御方法。
【請求項１０】
コンピュータで読取り可能なプログラムであると共に実行可能なプログラムであて、前記プログラムは、
記録媒体に対する読取及び書込可能な画像処理装置と印刷データを記憶管理する情報処理装置とがネットワークを介して接続された画像処理システムにおいて、
前記画像処理装置は、
印刷出力対象となる印刷データが記憶されている領域へアクセスするためのアクセス先情報を前記記録媒体に対して読取及び書込可能な設定手段と、
前記設定手段によって読取ったアクセス先情報を送信すると共に、送信部によって送信された印刷データを受信するデータ取得手段と、
前記データ取得手段によって取得した印刷データを印刷出力する印刷手段と、
を備え、
前記情報処理装置は、
前記データ取得手段によって送信されたアクセス先情報を受信する情報処理装置受信手段と、
前記情報処理装置受信手段によって受信したアクセス先情報に対応する印刷データを取得する取得手段と、
前記取得手段によって取得した印刷データを前記画像処理装置へ送信する送信手段と、
として機能することを特徴とするプログラム。
【請求項１１】
印刷データを記憶管理する情報処理装置と記録媒体に対する読取及び書込可能な画像処理装置とがネットワークを介して接続されており、前記画像処理装置からの前記印刷データの要求に対して前記情報処理装置から印刷データを受信する画像処理装置の制御方法であって、
前記画像処理装置は、
印刷出力対象となる印刷データが記憶されている領域へアクセスするためのアクセス先情報を前記記録媒体に対して読取及び書込可能な設定工程と、
前記設定工程によって読取ったアクセス先情報を前記情報処理装置へ送信すると共に、前記情報処理装置によって送信された印刷データを受信するデータ取得工程と、
前記データ取得工程によって取得した印刷データを印刷出力する印刷工程と、
を備えたことを特徴とする画像処理装置の制御方法。
【請求項１２】
コンピュータで読取り可能なプログラムであると共に実行可能なプログラムであって、前記プログラムは、
印刷データを記憶管理する情報処理装置と記録媒体に対する読取及び書込可能な画像処理装置とがネットワークを介して接続されており、前記画像処理装置からの前記印刷データの要求に対して前記情報処理装置から印刷データを受信する前記画像処理装置であって、
前記画像処理装置は、
印刷出力対象となる印刷データが記憶されている領域へアクセスするためのアクセス先情報を前記記録媒体に対して読取及び書込可能な設定手段と、
前記設定手段によって読取ったアクセス先情報を前記情報処理装置へ送信すると共に、前記情報処理装置によって送信された印刷データを受信するデータ取得手段と、
前記データ取得手段によって取得した印刷データを印刷出力する印刷手段と、
として機能することを特徴とするプログラム。
【請求項１３】
請求項１０または請求項１２に記載されたプログラムを記録したコンピュータで読取り可能か記録媒体。
【発明の詳細な説明】
【技術分野】
【０００１】
本発明は、ユーザが事前にサーバに接続許可された認証キーを使用し、複合機に接続された認証キーＲ／Ｗから認証キー内のデータを読み取る事によって、認証キーに対応させてサーバに保持しているデータを複合機に出力する事が出来る画像処理システムに関する。
【背景技術】
【０００２】
現状、証明書等のビジネス文書において、指定の場所にユーザが赴いて文書を受け取らないといけない問題点が発生している。それを打開すべきものとして、店舗などで、ユーザが簡単な操作により、ビジネス文書等の印刷物を出力することができるプリントサービスシステムという技術が開示されている。（例えば、特許文献１）
【０００３】
現状の具体的なシステム構成については、サーバ、複合機、ユーザ端末からなり、サーバは、ビジネス文書等の印刷データを一括管理格納し、その印刷データを配布する機能を備え、複合機は、サーバから取得した印刷データを出力する機能を備え、ユーザ端末は、複合機に印刷データを取得操作する機能をそれぞれ備えている。
【０００４】
ユーザは、ユーザ端末から必要な印刷データが格納されているサーバに対してユーザ情報を登録し、通知メールとしてサーバから印刷データのリンク情報を取得し、その情報を複合機に設定する。
【０００５】
複合機は、設定されたリンク情報から、サーバへ参照し、ユーザが必要とする印刷データの取得要求をサーバへ送り、サーバは、要求された印刷データを複合機に送信する。そして、印刷データを複合機は受信した後、ユーザが指定する方式で印刷出力する、といった動作を行う。
【先行技術文献】
【特許文献】
【０００６】
【特許文献１】特開２００５−２６７００２号公報
【発明の概要】
【発明が解決しようとする課題】
【０００７】
しかしながら、特許文献１に記載のプリントサービスシステムでは、必要な印刷データそれぞれに対して、ユーザはサーバにユーザ登録を行い、その都度通知メールとしてリンク情報を取得しなければならないため、ユーザにとっては作業上、面倒な点が存在する、という問題が生じる。
【０００８】
また、複合機から印刷データを出力する際に、ユーザはその都度ユーザ登録しなければならない方式のため、より一層、作業上、面倒な点が問題となる。
【０００９】
そこで、本発明では、ユーザが所定の印刷物を出力する際に、ユーザ自身の手を煩わせることなく印刷を行うことが可能な画像処理システム、画像処理装置、制御方法、プログラム、記録媒体を提供することを目的とする。
【課題を解決するための手段】
【００１０】
上記の目的を達成するための第１の発明は、記録媒体に対する読取及び書込可能な画像処理装置と印刷データを記憶管理する情報処理装置とがネットワークを介して接続された画像処理システムにおいて、前記画像処理装置は、印刷出力対象となる印刷データが記憶されている領域へアクセスするためのアクセス先情報を前記記録媒体に対して読取及び書込可能な設定部と、前記設定部によって読取ったアクセス先情報を送信すると共に、送信部によって送信された印刷データを受信するデータ取得部と、前記データ取得部によって取得した印刷データを印刷出力する印刷部と、を備え、前記情報処理装置は、前記データ取得部によって送信されたアクセス先情報を受信する情報処理装置受信部と、前記情報処理装置受信部によって受信したアクセス先情報に対応する印刷データを取得する取得部と、前記取得部によって取得した印刷データを前記画像処理装置へ送信する送信部と、を備えたことを特徴とする。
【００１１】
上記の目的を達成するための第２の発明は、記録媒体に対する読取及び書込可能な画像処理装置と印刷データを記憶管理する情報処理装置とがネットワークを介して接続された画像処理システムの制御方法において、前記画像処理装置は、印刷出力対象となる印刷データが記憶されている領域へアクセスするためのアクセス先情報を前記記録媒体に対して読取及び書込可能な設定工程と、前記設定工程によって読取ったアクセス先情報を送信すると共に、送信部によって送信された印刷データを受信するデータ取得工程と、前記データ取得工程によって取得した印刷データを印刷出力する印刷工程と、を備え、前記情報処理装置は、前記データ取得工程によって送信されたアクセス先情報を受信する情報処理装置受信工程と、前記情報処理装置受信工程によって受信したアクセス先情報に対応する印刷データを取得する取得工程と、前記取得工程によって取得した印刷データを前記画像処理装置へ送信する送信工程と、を備えたことを特徴とする。
【００１２】
上記の目的を達成するための第３の発明は、コンピュータで読取り可能なプログラムであると共に実行可能なプログラムであて、前記プログラムは、記録媒体に対する読取及び書込可能な画像処理装置と印刷データを記憶管理する情報処理装置とがネットワークを介して接続された画像処理システムにおいて、前記画像処理装置は、印刷出力対象となる印刷データが記憶されている領域へアクセスするためのアクセス先情報を前記記録媒体に対して読取及び書込可能な設定手段と、前記設定手段によって読取ったアクセス先情報を送信すると共に、送信部によって送信された印刷データを受信するデータ取得手段と、前記データ取得手段によって取得した印刷データを印刷出力する印刷手段と、を備え、前記情報処理装置は、前記データ取得手段によって送信されたアクセス先情報を受信する情報処理装置受信手段と、前記情報処理装置受信手段によって受信したアクセス先情報に対応する印刷データを取得する取得手段と、前記取得手段によって取得した印刷データを前記画像処理装置へ送信する送信手段と、として機能することを特徴とする。
【００１３】
上記の目的を達成するための第４の発明は、印刷データを記憶管理する情報処理装置と記録媒体に対する読取及び書込可能な画像処理装置とがネットワークを介して接続されており、前記画像処理装置からの前記印刷データの要求に対して前記情報処理装置から印刷データを受信する前記画像処理装置であって、前記画像処理装置は、印刷出力対象となる印刷データが記憶されている領域へアクセスするためのアクセス先情報を前記記録媒体に対して読取及び書込可能な設定部と、前記設定部によって読取ったアクセス先情報を前記情報処理装置へ送信すると共に、前記情報処理装置によって送信された印刷データを受信するデータ取得部と、前記データ取得部によって取得した印刷データを印刷出力する印刷部と、を備えたことを特徴とする。
【００１４】
上記の目的を達成するための第５の発明は、印刷データを記憶管理する情報処理装置と記録媒体に対する読取及び書込可能な画像処理装置とがネットワークを介して接続されており、前記画像処理装置からの前記印刷データの要求に対して前記情報処理装置から印刷データを受信する画像処理装置の制御方法であって、前記画像処理装置は、印刷出力対象となる印刷データが記憶されている領域へアクセスするためのアクセス先情報を前記記録媒体に対して読取及び書込可能な設定工程と、前記設定工程によって読取ったアクセス先情報を前記情報処理装置へ送信すると共に、前記情報処理装置によって送信された印刷データを受信するデータ取得工程と、前記データ取得工程によって取得した印刷データを印刷出力する印刷工程と、を備えたことを特徴とする。
【００１５】
上記の目的を達成するための第６の発明は、コンピュータで読取り可能なプログラムであると共に実行可能なプログラムであって、前記プログラムは、印刷データを記憶管理する情報処理装置と記録媒体に対する読取及び書込可能な画像処理装置とがネットワークを介して接続されており、前記画像処理装置からの前記印刷データの要求に対して前記情報処理装置から印刷データを受信する前記画像処理装置であって、前記画像処理装置は、印刷出力対象となる印刷データが記憶されている領域へアクセスするためのアクセス先情報を前記記録媒体に対して読取及び書込可能な設定手段と、前記設定手段によって読取ったアクセス先情報を前記情報処理装置へ送信すると共に、前記情報処理装置によって送信された印刷データを受信するデータ取得手段と、前記データ取得手段によって取得した印刷データを印刷出力する印刷手段と、として機能することを特徴とする。
【００１６】
上記の目的を達成するための第７の発明は、第３の発明及び第６の発明に記載されたプログラムを記録したコンピュータで読取り可能か記録媒体である。
【発明の効果】
【００１７】
本発明によれば、ユーザが保持する記録媒体に印刷可能な印刷物に関する情報を記録することによって、ユーザ自身の手を煩わす事無く、ユーザが必要な印刷物を出力することができる、という効果を奏する。
【図面の簡単な説明】
【００１８】
【図１】本発明の実施形態に係る画像処理システムの概略構成を示す構成図である。
【図２】本発明の実施形態に係る複合機のハードウェア構成を示す図である。
【図３】本発明の実施形態に係るサーバのハードウェア構成を示す図である。
【図４】本発明の実施形態に係る複合機のモジュール機能の構成を説明する構成図である。
【図５】本発明の実施形態に係る認証キーの内部に記憶される認証キー情報を示す構成図である。
【図６】本発明の実施形態に係る認証キーのデータテーブルの一部で、操作部に表示するリスト情報を示すテーブル図である。
【図７】本発明の実施形態に係る複合機の操作部に表示する、画面各種の遷移図である。
【図８】本発明の実施形態に係る認証キーの読取の際に表示する、認証キー読込画面を示した構成図である。
【図９】本発明の実施形態に係る複合機とサーバとのログイン設定の際に表示する、サーバ接続中画面を示した構成図である。
【図１０】本発明の実施形態に係るサーバから取得したリスト情報をユーザに視認出来る形に変更して表示する、全体リスト表示画面を示した構成図である。
【図１１】本発明の実施形態に係る全体リスト表示画面からユーザが選択した印刷データ項目を表示する、１件表示画面を示す構成図である。
【図１２】本発明の実施形態においてユーザが選択した印刷データの内容を簡易的に表示する、１件プレビュー画面を示した構成図である。
【図１３】本発明の実施形態において、ユーザが選択した印刷データの各種印刷設定を行う、出力設定画面の印刷設定を示した構成図である。
【図１４】本発明の実施形態において、ユーザが選択した印刷データの各種出力設定を行う、出力設定画面の出力設定を示した模式図である。
【図１５】本発明の実施形態において、ユーザが選択した印刷データを印刷（もしくは出力）している際に表示するデータ出力中画面を示す構成図である。
【図１６】本発明の実施形態に係る認証キー３０１が抜かれた際に表示する、認証キー抜取時画面を示す構成図である。
【図１７】本発明の実施形態に係る複合機におけるデータ自動取得の処理の概要を示すフローチャートである。
【図１８】本発明の実施形態において、認証キーの判別についての処理を示すフローチャートである。
【図１９】本発明の実施形態において、サーバとのログイン設定についての処理を示すフローチャートである。
【図２０】本発明の実施形態において、リスト情報の判定についての処理を示すフローチャートである。
【図２１】本発明の実施形態において、全体リスト表示についての処理を示すフローチャートである。
【図２２】本発明の実施形態において、１件項目表示についての処理を示すフローチャートである。
【図２３】本発明の実施形態において、印刷プレビュー表示についての処理を示すフローチャートである。
【図２４】本発明の実施形態において、印刷／出力設定処理についての処理を示すフローチャートである。
【図２５】本発明の実施形態において、印刷処理についての処理を示すフローチャートである。
【発明を実施するための形態】
【００１９】
以下、図面を参照して、本発明の実施形態を詳細に説明する。
【００２０】
図１は、本発明の実施形態における画像処理システムの構成の一例を示すシステム構成図である。
【００２１】
図１に示すように、画像処理システム１０００は、ファクシミリ送受信機能、コピー機能、印刷出力機能、及びファイル出力機能等を有する複合機１００、複合機１００に対する印刷データを記憶管理する情報処理装置２００（以下、サーバとする）、及び認証キーＲ／Ｗ３０２から構成され、ネットワーク３０４を介して接続され、相互にデータの送受信を行うことが可能であり、更に複合機１００と認証キーＲ／Ｗ３０２間を認証キー接続ケーブル３０３が備えられている。
【００２２】
認証キーＲ／Ｗ３０２には、認証キー３０１が接続されることにより、認証キー３０１に記録された情報を認証キーＲ／Ｗ３０２が読取り、認証キー接続ケーブル３０３を介して読取った情報を複合機１００が受信する。
【００２３】
あるいは、サーバ２００に記憶管理されたデータを複合機１００で受信した後、認証キー接続ケーブル３０３を介して、受信したデータを認証キー３０１に書込可能である
【００２４】
次に、複合機１００のハードウェア構成について、図２を用いて説明する。
【００２５】
図２は、本発明の実施形態における複合機１００のハードウェア構成の一例を示す図である。
【００２６】
複合機１００は、画像入力デバイスとして機能するスキャナ部１１９や、画像出力デバイスとして機能するプリンタ部１１７と接続する一方、ＬＡＮ（例えば、図１に示したＬＡＮ３０４）や公衆回線（ＷＡＮ）（例えば、ＰＳＴＮまたはＩＳＤＮ等）と接続することで、画像データやデバイス情報の入出力を行う。
【００２７】
１０１はＣＰＵで、システム全体を制御するプロセッサである。
【００２８】
１０８はＲＡＭで、ＣＰＵ１０１が動作するためのシステムワークメモリであり、プログラムを記録するためのプログラムメモリや、画像データを一時記録するための画像メモリでもある。
【００２９】
１０２はＲＯＭで、システムのブートプログラムや各種制御プログラムが格納されている。
【００３０】
１０９はハードディスクドライブ（ＨＤＤ）で、システムを制御するための各種プログラム、画像データ、サーバから取得した印刷データを格納する。
【００３１】
１０５は操作部インタフェース（操作部Ｉ／Ｆ）で、操作部（キーボード）１０６とのインターフェース部である。また、操作部Ｉ／Ｆ１０５は、操作部１０６から入力したキー情報（例えば、印刷ボタンの押下）をＣＰＵ１０１に伝える役割をする。
【００３２】
１０３はネットワークインタフェース（Ｎｅｔｗｏｒｋ Ｉ／Ｆ）で、ネットワーク（ＬＡＮ）３０４に接続し、データの入出力を行う。
【００３３】
１０４はモデム（ＭＯＤＥＭ）で、公衆回線に接続し、ＦＡＸの送受信等のデータの入出力を行う。
【００３４】
１１１は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においては認証キー３０１を読み書きする装置、認証キーＲ／Ｗ１１２とＵＳＢ、ＩＥＥＥ１３９４等が外部メモリ１１３として外部Ｉ／Ｆ部１１１に接続されている。
【００３５】
ＣＰＵ１０１は、この外部Ｉ／Ｆ１１１を介して認証キーＲ／Ｗ１１２の読み書きを制御し、認証キー３０１に保持されているデータを取得する。以上のデバイスがシステムバス１０７上に配置される。
【００３６】
１１０はイメージバスインタフェース（ＩＭＡＧＥ
ＢＵＳ Ｉ／Ｆ）であり、システムバス１０７と画像データを高速で転送する画像バス１１４とを接続し、データ構造を変換するバスブリッジである。
【００３７】
画像バス１１４は、ＰＣＩバスまたはＩＥＥＥ１３９４で構成される。画像バス１１４上には以下のデバイスが配置される。
【００３８】
１１５はラスタイメージプロセッサ（ＲＩＰ）で、例えば、ＰＤＬコード等のベクトルデータをビットマップイメージに展開する。
【００３９】
１１６はプリンタインタフェース（プリンタＩ／Ｆ）で、プリンタ部１１７と接続し、画像データの同期系／非同期系の変換を行う。
【００４０】
１１８はスキャナインタフェース（スキャナＩ／Ｆ）で、スキャナ部１１９と接続し、画像データの同期系／非同期系の変換を行う。
【００４１】
スキャナ部１１９は、原稿となる紙上の画像を照明し、ＣＣＤラインセンサで走査することで、ラスタイメージデータとして電気信号に変換する。原稿用紙は原稿フィーダのトレイにセットし、装置使用者が操作部１０６から読み取り起動指示することにより、ＣＰＵ１０１がスキャナ部１１９に指示を与え、フィーダは原稿用紙を１枚ずつフィードし原稿画像の読み取り動作を行う。
【００４２】
１２０は画像処理部で、入力画像データに対し補正、加工、編集を行ったり、プリント出力画像データに対して、プリンタの補正、解像度変換等を行う。また、これに加えて、画像処理部１２０は、画像データの回転や、多値画像データに対してはＪＰＥＧ、２値画像データはＪＢＩＧ、ＭＭＲ、ＭＨ等の圧縮伸張処理を行う。
【００４３】
プリンタ部１１７は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ１０１からの指示によって開始する。なお、プリンタ部１１７には、異なる用紙サイズまたは異なる用紙向きを選択できるように複数の給紙段を持ち、それに対応した用紙カセットがある。
【００４４】
操作部１０６は、ＬＣＤ表示部を有し、ＬＣＤ上にタッチパネルシートが貼られており、システムの操作画面を表示するとともに、表示してあるボタンが押されるとその位置情報を操作部Ｉ／Ｆ１０５を介してＣＰＵ１０１に伝える。また、操作部１０６は、各種操作ボタンとして、例えば、印刷ボタン、印刷プレビューボタン、戻るボタン等を備える。
【００４５】
尚、表示部はプリンタによって表示性能がことなり、タッチパネルを介して操作をできるプリンタ、単に液晶画面を備え文字列を表示（印刷状態や印刷している文書名の表示）させるだけのプリンタによって本発明は構成されている。
【００４６】
操作部１０６の各種ボタンの処理については、各種模範図（図１１等）の際に説明する。
【００４７】
認証キーＲ／Ｗ１１２は、ＣＰＵ１０１からの制御により、認証キー３０１に記憶されている情報を外部Ｉ／Ｆ１１１を介して読み書きする。尚、認証キーＲ／Ｗ１１２は、図１に示す認証キーＲ／Ｗ３０２のことを示している。
【００４８】
以上のような構成によって、複合機１００は、ＬＡＮ３０４を介してサーバ２００に格納されている印刷データを受信し、一旦ＨＤＤ１０９に格納したものを、プリンタ部１１７により印刷することや、外部メモリ１１３にＵＳＢ、ＩＥＥＥ１３９４等を設置する事によって、外部Ｉ／Ｆ１１１を介して外部メモリ１１３に出力する事ができる。
【００４９】
また、スキャナ部１１９から読み込んだ画像データをＬＡＮ３０４上に送信したり、スキャナ部１１９から読み込んだ画像データをモデム１０４により、公衆回線上にＦＡＸ送信したり、公衆回線からＦＡＸ受信した画像データをプリンタ部１１７により出力することできる。
【００５０】
次に、図１のサーバ２００のハードウェア構成について、図３を用いて説明する。
【００５１】
図３は、本発明の実施形態におけるサーバ２００のハードウェア構成の一例を示す図である。
【００５２】
図３において、２０１はＣＰＵで、システムバス２０５に接続される各デバイスやコントローラを統括的に制御する。
【００５３】
ＲＯＭ２０２あるいは外部メモリ２１２には、ＣＰＵ２０１の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００５４】
２０３はＲＡＭで、ＣＰＵ２０１の主メモリ、ワークエリア等として機能する。
【００５５】
ＣＰＵ２０１は、処理の実行に際して必要なプログラム等をＲＯＭ２０２あるいはハードディスク（ＨＤＤ）２０８からＲＡＭ２０３にロードして、ロードしたプログラムを実行することで各種動作を実現するものである。
【００５６】
２０８はハードディスク（ＨＤＤ）で、複合機１００で印刷／出力処理する印刷データ各種を格納している。
【００５７】
２０９は入力コントローラで、キーボード（Ｋｅｙｂｏｒａｄ）２１０や不図示のマウス等のポインティングデバイス等からの入力を制御する。
【００５８】
２０６はビデオコントローラで、モニタ２０７等の表示器への表示を制御する。なお、図３では、モニタ２１０と記載しているが、表示器はＣＲＴだけでなく、液晶ディスプレイ等の他の表示器であってもよい。これらは必要に応じてサーバ管理者が使用するものである。
【００５９】
２１１はメモリコントローラで、ブートプログラム，各種のアプリケーション，フォントデータ，ユーザファイル，編集ファイル，各種データ等を記憶するハードディスク（ＨＤＤ）や、フレキシブルディスク（ＦＤ）、或いはＰＣＭＣＩＡカードスロットにアダプタを介して接続されるコンパクトフラッシュ（登録商標）メモリ等の外部メモリ２１２へのアクセスを制御する。
【００６０】
２０４はＮｅｔｗｏｒｋ  Ｉ／Ｆで、ネットワーク（例えば、図１に示したＬＡＮ３０４）を介して外部機器と接続・通信するものであり、ネットワークでの通信制御処理を実行する。例えば、ＴＣＰ／ＩＰを用いた通信等が可能である。
【００６１】
以下、図４を用いて、複合機１００のモジュール機能の構成について説明する。
【００６２】
図４は、複合機１００のモジュール機能の構成を示すブロック図である。
【００６３】
図４に示すように、複合機１００は、認証キー設定部４０１、データ取得部４０２、制御部４０３、操作部４０４、印刷部４０５、及び出力部４０６を備える。
【００６４】
制御部４０３は、各認証キー設定部４０１、データ取得部４０２、操作部４０４、印刷部４０５、及び出力部４０６に対して全体の動作を制御する。
【００６５】
認証キー設定部４０１は、認証キー３０１が認証キーＲ／Ｗ１１２によって、認証キー３０１のデータの読取及び書込みを行う。
【００６６】
データ取得部４０２は、複合機１００とサーバ２００との間の通信制御を行うところで、サーバ２００にログイン設定を送信する機能や、リスト情報５０８、及び印刷データをサーバ２００から受け取る。
【００６７】
操作部４０４は、対ユーザとのやり取りを行う機能を有し、制御部４０３から送られた様々な情報を表示し、ユーザが選択した内容を制御部４０３に送信する。
【００６８】
印刷部４０５は、サーバ２００から取得した印刷データを出力形式に準じて処理を行う機能を有する。
【００６９】
出力部４０６は、サーバ２００から取得した印刷データを外部メモリ１１３に送信する処理を行うブロックである。
【００７０】
図５、図６を用いて、認証キー３０１の内部に記憶されるデータテーブルについて説明する。
【００７１】
図５は、認証キー３０１に記憶されるデータテーブルの一例を示す構成図である。
【００７２】
図５に示すように、認証キー３０１に記憶されるデータは、大きくわけてアクセス先情報、認証キー情報、及び履歴に分かれる。
【００７３】
アクセス先情報には、パス５０１，ログイン名５０２、パスワード５０３で構成されている。パス５０１は、認証キー３０１自身が接続を許可されたサーバ２００へのアクセスパスが格納されている。また、ログイン名５０２とアクセス先情報のパスワード５０３は、サーバ２００とのログイン設定の際に使用するデータが格納されている。
【００７４】
認証キー情報には、最大使用回数５０４、最終使用日時５０５、使用回数５０６、使用可能日時５０７から構成される。
【００７５】
認証キー情報の最大使用回数５０４には、認証キー３０１自身が使用できる回数が設定されており、使用可能日時５０７には認証キー３０１自身が使用できる最終日が設定されている。これらどちらかの期限が越えれば認証キー３０１自身使用出来なくなる。
【００７６】
また、最終使用日時５０５は、認証キー３０１を使用した最後の日が設定されており、使用回数５０６は、今までに認証キー３０１を使用した回数が設定されている。なお、アクセス先情報と認証キーの情報は、認証キー３０１に予め登録されているものとする。但し、サーバ２００から書込みを行うような制御を行っても良い。
【００７７】
履歴は、印刷出力対象となる印刷データに関する情報が記憶されており、最終使用時のリスト情報５０８（後述図６）として構成されている。履歴の最終使用時のリスト情報５０８については、認証キー３０１を始めて使用する際には、認証キー３０１に登録しておらず、一度認証キー３０１を使用した後に、サーバ２００から取得したリスト情報５０８そのものが情報として保持されるものとする。
【００７８】
認証キー３０１に保存されている各データは必ず一つで、アクセス先情報や履歴が認証キー３０１に複数以上保存されることはない。
【００７９】
図６は、図５に示した認証キー３０１に履歴として保存されるリスト情報５０８の一例を示す構成である。
【００８０】
図６に示すように、リスト情報５０８は、ＩＤ５５１、ファイル５５２、印刷名称５５３、最大出力回数５５４、出力回数５５５、出力期限５５６、付随情報ファイル５５７、及びコメント５５８で構成される。
【００８１】
ＩＤ５５１は、サーバ２００に格納されている各種印刷データを示す固有の番号であり、ファイル５５２は、ＩＤ５５１に紐づいた印刷データのファイルを示し、印刷名称５５３は、印刷データのタイトルが記入されている。
【００８２】
最大出力回数５５４は、ユーザが認証キー３０１を使用して印刷データ自身を印刷／出力出来る回数を示しており、出力回数５５５は、今まで出力した回数が示されている。
【００８３】
出力期限５５６は、印刷データを出力出来る最終日が記載されている。印刷データは、最大出力回数５５４と出力期限５５６の何れかの期限を越えれば印刷／出力する事が出来なくなる。
【００８４】
付随情報ファイル５５７は、印刷データを印刷／出力している際に、複合機１００の操作部４０４にデータ出力中画面６０７（後述図１５）を表示している際に使用するファイルが記載されている。
【００８５】
コメント５５８は、ユーザにお知らせする情報が記入されている。
【００８６】
なお、このリスト情報５０８は、サーバ２００に予め登録されているものとする。登録する箇所については、前述したアクセス先情報のパス５０１に該当する領域へ登録することが想定される。尚、当該領域は、ＨＤＤ２０８等の記録媒体が望ましい。
【００８７】
次に、複合機１００の操作部４０４に表示する画面の遷移についいて、図７を用いて説明する。
【００８８】
図７に示すように、複合機１００の操作部４０４に表示する画面は、認証キー読込画面６０１、サーバ接続中画面６０２、全体リスト表示画面６０３、１件表示画面６０４、印刷プレビュー画面６０５、出力設定画面６０６、データ出力中画面６０７、及び認証キー抜取時画面６０８からなり、認証キー読込画面６０１から始まる。
【００８９】
認証キー読込画面６０１（図８参照）は、認証キーＲ／Ｗ３０２に認証キー３０１が挿入されたことを複合機１００が認識した際に表示される。
【００９０】
認証キー読込画面６０１からは、サーバ接続中画面６０２（図９参照）に遷移する。この遷移は、複合機１００がサーバ２００とのログイン設定が始まった際に行う。
【００９１】
サーバ接続中画面６０２からは、全体リスト表示画面６０３（図１０参照）に遷移する。この遷移は、リスト情報５０８の判定処理が完了した際に行う。
【００９２】
全体リスト表示画面６０３からは、１件表示画面６０４（図１１参照）、認証キー抜取時画面６０８（図１６参照）に遷移する。１件表示画面６０４への遷移は、ユーザが選択した印刷データ項目の処理を複合機１００の操作部４０４が認識した後に行う。認証キー抜取時画面６０８への遷移は、認証キー３０１が認証キーＲ／Ｗ３０２から抜取られた事を複合機１００が認識した際に行う。
【００９３】
１件表示画面６０４からは、全体リスト表示画面６０３、印刷プレビュー画面６０５（図１２参照）、出力設定画面６０６（図１３参照）、データ出力中画面６０７（図１５参照）、認証キー抜取時画面６０８に遷移する。
【００９４】
全体リスト表示画面６０３への遷移は、画面内の戻るボタン６４５が押された際に行い、印刷プレビュー画面６０５への遷移は、画面内の印刷プレビューボタン６４２が押された際に行う。
【００９５】
出力設定画面６０６への遷移は、画面内の印刷設定ボタン６４３が押された際に行い。データ出力中画面６０７への遷移は、画面内の印刷ボタン６４４が押されることで印刷指示がなされた際に行う。認証キー抜取時画面６０８への遷移は、認証キー３０１が認証キーＲ／Ｗ３０２から抜取られた事を複合機１００が認識した際に行う。
【００９６】
印刷プレビュー画面６０５からは、１件表示画面６０４、出力設定画面６０６、データ出力中画面６０７に遷移する。１件表示画面６０４への遷移は、画面内の戻るボタン６５５が押された際に行う。出力設定画面６０６への遷移は、画面内の印刷設定ボタン６５４が押された際に行う。データ出力中画面６０７への遷移は、画面内の印刷ボタン６５３が押されて印刷指示がなされた際に行う。
【００９７】
出力設定画面６０６からは、１件表示画面６０４、データ出力中画面６０７に遷移する。１件表示画面６０４への遷移は、画面内の戻るボタン６６７が押された際に行う。データ出力中画面６０７への遷移は、画面内の印刷ボタン６６６（もしくは出力ボタン６６６）が押された際に行う。
【００９８】
データ出力中画面６０７からは、全体リスト表示画面６０３に遷移する。遷移は、印刷（もしくは出力）が完了した後、リスト情報５０８の更新処理が終った後に行う。
【００９９】
認証キー抜取時画面６０８が表示される事によって、複合機１００の動作が完了する。
【０１００】
次に、画像処理システム１０００におけるデータ自動取得型処理に関する基本的な処理について、図１７に示すフローチャートを用いて説明する。
【０１０１】
まず、ステップＳ１０１において、複合機１００は、認証キーＲ／Ｗ３０２に認証キー３０１が挿入されたことを認証キー設定部４０１から制御部４０３に通知された事を認識する。
【０１０２】
ステップＳ１０２において、認証キー３０１の判別処理を行う。認証キー３０１の判別処理の詳細について図１８に示すフローチャートを用いて説明する。
【０１０３】
ステップＳ２０１において、認証キー読込画面６０１を複合機１００の操作部４０４に表示する。
【０１０４】
図８に示すように認証キー読込画面６０１は、複合機１００の操作部４０４に表示し、複合機１００の制御部４０３から取得した現在の日時６２５と認証キー読込中を示すメッセージ６７０が表示されている。
【０１０５】
図１８に示すステップＳ２０２において、複合機１００の制御部４０３は、認証キー設定部４０１を制御し、認証キー３０１から認証キー情報を読み取り複合機１００のＲＡＭ１０８にデータを書き込む。
【０１０６】
ステップＳ２０３において、複合機１００の制御部４０３は、複合機１００の現在の日時を取得する。
【０１０７】
ステップＳ２０４において、複合機１００の制御部４０３は、取得した日時がＲＡＭ１０８に格納した認証キー情報の使用可能日時５０７より超えているか否かを判定し、超えていると判定した場合は、ステップＳ２０５へ処理を進め、超えていると判定できない場合は、ステップＳ２０７へ処理を進める。
【０１０８】
ステップＳ２０５において、複合機１００の制御部４０３は、ＲＡＭ１０８に格納した認証キー情報の使用回数５０６が最大使用回数５０４より超えているか否かを判定し、超えていると判定した場合は、ステップＳ２０６へ処理を進め、超えていると判定できない場合は、ステップＳ２０７へ処理を進める。
【０１０９】
ステップＳ２０４、ステップＳ２０５共に結果が正しければ、ステップＳ２０６において、複合機１００の制御部４０３は、ＲＡＭ１０８に格納した認証キー情報の使用回数５０６の値に１を加算し、ＲＡＭ１０８で保持している情報を使用して、認証キー設定部４０１を介して、認証キー３０１の情報を上書きする。
【０１１０】
ステップＳ２０４、ステップＳ２０５のどちらかの処理で結果が正しくなければ、ステップＳ２０７において、複合機１００の制御部４０３は、操作部４０４に表示している認証キー読込画面６０１にエラーメッセージを表示する。
【０１１１】
以下、図１７に示すフローチャートの説明に戻る。
【０１１２】
ステップＳ１０３において、ステップＳ１０２の判別処理結果をもとに認証キー３０１が使用出来るか否かを判別し、使用出来るならば、ステップＳ１０４においてサーバ２００とのログイン設定を行う。
【０１１３】
サーバ２００とのログイン設定の処理の詳細について、図１９に示すフローチャートを用いて説明する。
【０１１４】
ステップＳ３０１において、サーバ接続中画面６０２を複合機１００の操作部４０４に表示する。
【０１１５】
図９に示すように、サーバ接続中画面６０２は、複合機１００の操作部４０４に表示し、複合機１００の制御部４０３から取得した現在の日時６２５、サーバとの接続中を示すメッセージ６７１、複合機１００のＲＡＭ１０８に格納した認証キー３０１の使用可能日時５０７がユーザに視認出来る形でメッセージ６２７として表示されている。
【０１１６】
図１９に示すステップＳ３０２において、複合機１００の制御部４０３は、データ取得部４０２を介してＲＡＭ１０８に格納した認証キー３０１のアクセス先情報のパス５０１を使用して、サーバ２００との接続を行う。
【０１１７】
ステップＳ３０３において、サーバ２００と接続が出来たか否かを判定し、接続が出来たと判定した場合は、ステップＳ３０４へ処理を進め、接続が出来たと判定できなかった場合は、ステップＳ３１４へ処理を進める。
【０１１８】
ステップＳ３０４において、複合機１００の制御部４０３は、データ取得部４０２を介してＲＡＭ１０８に格納した認証キー３０１のアクセス先情報のログイン名５０２とパスワード５０３をサーバ２００に送信する。
【０１１９】
ステップＳ３０５において、サーバ２００は送られてきた情報（ログイン名５０２とパスワード５０３）を受信する。
【０１２０】
ステップＳ３０６において、サーバ２００は送られてきた情報を元に、ログイン設定を行う。
【０１２１】
ステップＳ３０７において、サーバ２００はログイン設定が完了出来たか否かを判定し、ログイン設定が完了したと判定した場合、ステップＳ３０８へ処理を進め、ログイン設定が完了したと判定できなかった場合、ステップＳ３１０へ処理を進める。
【０１２２】
正しくログイン設定が出来たならば、ステップＳ３０８にて正常にログイン出来た旨を示すログイン結果を複合機１００に送信し、ステップＳ３０９にてログイン先に格納している各種印刷データのリスト情報５０８を複合機１００に送信する。
【０１２３】
ステップ３０７において、ログイン設定に不備が生じたならば、ステップＳ３１０において、サーバ２００はログイン出来なかった旨を示すログイン結果を複合機１００に送信する。
【０１２４】
ステップＳ３１１において、複合機１００の制御部は、データ取得部４０２を介して、サーバ２００から送信されるログイン結果を受信する。
【０１２５】
ログイン結果を元に、ステップＳ３１２において、複合機１００の制御部４０３は、サーバ２００とログイン出来たか否かを判定し、ログイン出来たと判定した場合は、ステップＳ３１３へ処理を進め、ログイン出来なかったと判定した場合は、ステップＳ３１４へ処理進める。
【０１２６】
ステップＳ３１３では、複合機１００の制御部４０３は、データ取得部４０２を介してサーバ２００から送信されたリスト情報５０８を受信する。
【０１２７】
ステップＳ３０３、ステップＳ３１４のどちらかの処理で結果が正しくなければ、ステップＳ３１４において、複合機１００の制御部は、操作部４０４に表示しているサーバ接続中画面６０２にエラーメッセージを表示する。
【０１２８】
以下、図１７のフローチャートの説明に戻る。
【０１２９】
ステップＳ１０５では、ステップＳ１０４におけるサーバ２００のログイン結果をもとにサーバと接続出来たか否かを判定する。接続出来たと判定した場合、ステップＳ１０６へ処理を進め、接続出来たと判定できなかった場合、ステップＳ１１２へ処理を進める。
【０１３０】
ステップＳ１０６では、リスト情報５０８の判定処理を行うが、処理詳細については、図２０に示すフローチャートを用いて説明する。
【０１３１】
ステップＳ４０１において、複合機１００の制御部４０３は、ＲＡＭ１０８に格納されている認証キー３０１の履歴としてリスト情報５０８があるか否かを判定し、リスト情報５０８があると判定した場合、ステップＳ４０２へ処理を進め、リスト情報５０８があると判定できなかった場合、ステップＳ４０５へ処理を進める。
【０１３２】
ステップＳ４０２において、複合機１００の制御部４０３は、ＲＡＭ１０８に格納されたリスト情報５０８とサーバ２００から受信したリスト情報５０８を使用して、ＩＤ５５１の若い順から一項目ずつ比較する。
【０１３３】
ステップＳ４０３において、複合機１００の制御部４０３は、ＲＡＭ１０８に格納されているリスト情報５０８と、サーバ２００から受信したリスト情報５０８において、ファイル５５２と印刷名称５５３が違っていないかを確認し、全ての項目で同等であればステップＳ４０４において、サーバ２００から取得したリスト情報５０８にＲＡＭ１０８に格納されているリスト情報５０８の最大出力回数５５４のデータを上書いて、その情報を正しいリスト情報５０８としてＲＡＭ１０８と認証キー３０１の情報を更新する。
【０１３４】
サーバ２００から受信したリスト情報５０８を正にしている理由は、色々な事柄でサーバ２００に格納されている各種印刷データの印刷回数(もしくは期限など)に変動があった際の動作不具合を無くす為である。
【０１３５】
ステップＳ４０１、ステップＳ４０３のどちらかの処理において、リスト情報５０８に不足分が発生したならば、ステップＳ４０５において、複合機１００の制御部４０３は、不足分をサーバ２００から受信したリスト情報５０８の印刷データの項目で補填する。
【０１３６】
以下、図１７のフローチャートの説明に戻る。
【０１３７】
リスト情報５０８の判定処理が完了すると、ステップＳ１０７において全体リスト表示を行う。全体リスト表示の処理の詳細については、図２１に示すフローチャートを用いて説明する。
【０１３８】
ステップＳ５０１において、複合機１００の制御部４０３は、リスト情報５０８の印刷データの個数を算出し、以降のステップにおいてその個数分印刷データごとに処理を行う。
【０１３９】
ステップＳ５０２において、複合機１００の制御部４０３は、リスト情報５０８の最大出力回数５５４と出力回数５５５から、残回数を算出し、その結果が０に等しいか否かを判定し、０に等しいと判定した場合、ステップＳ５０５へ処理を進め、０に等しいと判定できなかった場合、ステップＳ５０３へ処理を進める。
【０１４０】
ステップＳ５０３において、複合機１００の制御部４０３は、リスト情報５０８の出力期限５５６が制御部４０３から取得した現在の日時より大きい日付か否かを判定し、大きい日付と判定した場合、ステップＳ５０５へ処理を進め、大きい日付と判定できなかった場合、ステップＳ５０４へ処理を進める。
【０１４１】
ステップＳ５０２及びステップＳ５０３の判定結果が正しければ、ステップＳ５０４において、複合機１００の制御部４０３は、現印刷データ自体を印刷可能状態として処理が出来るように設定を行う。
【０１４２】
逆に、ステップＳ５０２及びステップＳ５０３の判定結果が正しくなければ、ステップＳ５０５において、複合機１００の制御部４０３は、現印刷データ自体を印刷の実行不可状態として処理が出来ないように設定を行う。
【０１４３】
リスト情報５０８の全項目に対して判定処理が完了したならば、ステップＳ５０６において、複合機１００の制御部４０３は、全体リスト表示画面６０３を操作部４０４に表示する。
【０１４４】
図１０に示す通り、全体リスト表示画面６０３を複合機１００の操作部４０４に表示し、複合機１００の制御部４０３から取得した現在の日時６２５、ＲＡＭ１０８に格納した認証キー情報の使用可能日時５０７がユーザに視認出来る形でメッセージ６２７として表示し、リスト情報５０８内に存在している印刷データの個数をメッセージ６２６で表示している。
【０１４５】
リスト情報５０８のＩＤ５５１について、それぞれを一項目として、６２１〜６２４のように項目ごとに表示するようにし、表示仕切れない部分の項目については、スクロールバー６３３を使用して、項目自体を上下させる。
【０１４６】
６２１を例として説明すると、一項目の中には、タイトル６３２、印刷可否６３１、印刷済回数６３０、残印刷６２９、印刷項目期日６２８がユーザに視認出来る形で表示されている。
【０１４７】
タイトル６３２は、リスト情報５０８の印刷名称５５３の内容を示しており、印刷可否６３１は、当項目に対して印刷することが可能か否かを示している（ステップＳ５０４もしくはステップＳ５０５における状態）。
【０１４８】
印刷可否６３１の状態が印刷不可状態ならば、項目自体選択出来ないようグレースケール処理が施されている。逆に印刷可能状態ならば、ユーザに対して選択が出来るように設定する。
【０１４９】
印刷済回数６３０は、リスト情報５０８の出力回数５５５の数を示し、残印刷６２９は、リスト情報５０８の最大出力回数５５４から出力回数５５５を引いた数を示し、また、印刷項目期日６２８は、リスト情報５０８の出力期限５５６の内容が各々表示される。
【０１５０】
以下、図１７のフローチャートの説明に戻る。
【０１５１】
ステップＳ１０８において、操作部４０４に表示している全体リスト表示の中からユーザは、必要とする印刷データの項目を選択し、複合機１００の制御部４０３は、操作部４０４を介してユーザが選択した事を認識する。
【０１５２】
ステップＳ１０９において、複合機１００の制御部４０３は、ユーザが選択した項目について、１件項目表示を行う。
【０１５３】
１件項目表示処理の詳細について図２２に示すフローチャートを用いて説明する。
【０１５４】
ステップＳ６０１において、ユーザが選択した印刷データの項目について、１件表示画面６０４を操作部４０４に表示する。
【０１５５】
図１１に示すように１件表示画面６０４が、複合機１００の操作部４０４に表示され、複合機１００の制御部４０３から取得した現在の日時６２５、ＲＡＭ１０８に格納した認証キー情報の使用可能日時５０７がユーザに視認出来る形でメッセージ６２７として表示し、ユーザが選択した印刷データの項目が何番目をしているかをメッセージ６２６で表示している。
【０１５６】
全体リスト表示画面６０３で表示していた部分（タイトル６３２、印刷可否６３１、印刷済回数６３０、残印刷６２９、印刷項目期日６２８）に加え、コメント６４０と印刷プレビューボタン６４２、印刷設定ボタン６４３、印刷ボタン６４４、及び戻るボタン６４５がユーザに視認出来る形で表示される。
【０１５７】
コメント６４０は、リスト情報５０８のコメント５５８の内容が表され、表示出来ない部分については、コメント内のスクロールバー６４１によって内容を前後する事で視認出来る。６４２〜６４５のそれぞれのボタンについては、以降のフローチャートを説明する際に随時説明を行う。
【０１５８】
以下、図２２のフローチャートの説明に戻る。
【０１５９】
ステップＳ６０２、ステップＳ６０４、ステップＳ６０６、ステップＳ６０８において、複合機１００の制御部４０３は、操作部４０４に表示された１件表示画面６０４の各ボタン（６４２〜６４５）が押されるまでそのままの状態を保持する。
【０１６０】
ステップＳ６０２において、複合機１００の操作部４０４に表示された１件表示画面６０４の印刷プレビューボタン６４２が押された事を操作部４０４が認識したならば、ステップＳ６０３において印刷プレビュー画面６０５表示の設定を行う。尚、詳細については、図２３に示すフローチャートを用いて説明する。
【０１６１】
ステップＳ６０４において、複合機１００の操作部４０４に表示された１件表示画面６０４の印刷設定ボタン６４３が押された事を操作部４０４が認識したならば、ステップＳ６０５において印刷／出力設定処理の設定を行う。尚、詳細については、図２４に示すフローチャートを用いて説明する。
【０１６２】
ステップＳ６０６において、複合機１００の操作部４０４に表示された１件表示画面６０４の印刷ボタン６４４が押された事を操作部４０４が認識したならば、ステップＳ６０７において印刷処理の設定を行う。尚、詳細については、図２５に示すフローチャートを用いて説明する。
【０１６３】
ステップＳ６０８において、複合機１００の操作部４０４に表示された１件表示画面６０４の戻るボタン６４５が押された事を操作部４０４が認識したならば、ステップＳ６０９において、複合機１００の制御部４０３は、ユーザが選択した項目の印刷データ自体をサーバ２００から受信し、複合機１００のＨＤＤ１０９に保持しているかを確認する。
【０１６４】
ＨＤＤ１０９内に確認した印刷データが保持されているならば、ステップＳ６１０において、複合機１００の制御部４０３は、ＨＤＤ１０９の印刷データを削除する。
【０１６５】
以下、印刷プレビュー画面６０５の表示処理について図２３に示すフローチャートを用いて説明する。
【０１６６】
ステップＳ７０１において、複合機１００の制御部４０３は、ユーザが選択した項目の印刷データをサーバ２００から受信し、ＨＤＤ１０９に保持しているかを確認する。
【０１６７】
ＨＤＤ１０９内にデータが保持されていなければ、ステップＳ７０２において、複合機１００の制御部４０３は、ユーザが選択した項目の印刷データをサーバ２００に要求する。
【０１６８】
複合機１００の制御部４０３がデータ取得部４０２を介してサーバ２００に要求する印刷データは、リスト情報５０８のファイル５５２と、出力処理中に操作部４０４に表示するデータ出力中画面６０７（後述図１５）を構成する為に使用する付随情報ファイル５５７からなる。
【０１６９】
サーバ２００は、ステップＳ７０３において、複合機１００から送信された印刷データの要求を受信する。
【０１７０】
ステップＳ７０４において、サーバ２００は、複合機１００から要求された印刷データを取得する。
【０１７１】
ステップＳ７０５において、サーバ２００は、要求された印刷データを取得し複合機１００に送信する。
【０１７２】
サーバ２００に要求していた印刷データを、複合機１００のデータ取得部４０２にて受信したならば、ステップＳ７０６において、制御部４０３は、データ取得部４０２からＨＤＤ１０９内に一旦印刷データを格納する。
【０１７３】
ステップＳ７０７において、複合機１００の制御部４０３は、ＨＤＤ１０９に格納した印刷データのファイル５５２を使用して、操作部４０４に印刷プレビュー画面６０５を表示する。
【０１７４】
図１２に示すように印刷プレビュー画面６０５は、複合機１００の操作部４０４に表示され、複合機１００の制御部４０３から取得した現在の日時６２５、ＲＡＭ１０８に格納した認証キー情報の使用可能日時５０７がユーザに視認出来る形でメッセージ６２７として表示し、ユーザが選択した印刷データの項目において印刷プレビュー処理を行っている旨をユーザに視認出来る形でメッセージ６２６として表示している。
【０１７５】
印刷プレビュー画面６０５には、印刷データを表示する部分６５０があり、１ページごとに印刷データの内容６５１が表示される。表示しきれない部分に関しては、スクロールバー６５２にて内容を前後する事で視認することが出来る。上記で説明したもの以外に、印刷プレビュー画面６０５には、印刷ボタン６５３、印刷設定ボタン６５４、及び戻るボタン６５５がユーザに視認できる形で表示される。尚、６５３〜６５５のそれぞれのボタンについては、以降のフローチャートを説明する際に随時説明を行う。
【０１７６】
以下、図２３のフローチャートの説明に戻る。
【０１７７】
ステップＳ７０８、ステップＳ７１０、ステップＳ７１２において、複合機１００の制御部４０３は、操作部４０４に表示された印刷プレビュー画面６０５の各ボタン（６５３〜６５５）が押されるまでそのままの状態を保持する。
【０１７８】
ステップＳ７０８において、複合機１００の操作部４０４に表示された印刷プレビュー画面６０５の印刷設定ボタン６５４が押された事を操作部４０４が認識したならば、ステップＳ７０９において印刷／出力設定処理の設定を行う。尚、詳細については、図２４に示すフローチャートを用いて説明する。
【０１７９】
ステップＳ７１０において、複合機１００の操作部４０４に表示された印刷プレビュー画面６０５の印刷ボタン６５３が押された事を操作部４０４が認識したならば、ステップＳ７１１において印刷処理の設定を行う。尚、詳細については、図２５に示すフローチャートを用いて説明する。
【０１８０】
ステップＳ７１２において、複合機１００の操作部４０４に表示された印刷プレビュー画面６０５の戻るボタン６５５が押された事を操作部４０４が認識したならば、ステップＳ７１３において、１件項目表示の設定を行う。尚、詳細については、図２２に示すフローチャートを用いて説明した通りである。
【０１８１】
以下、ユーザが選択した印刷データの項目において、印刷設定ないし出力設定に関する印刷／出力設定処理の詳細について図２４に示すフローチャートを用いて説明する。
【０１８２】
ステップＳ８０１において、初期表示として出力設定画面６０６を表示する。
【０１８３】
図１３に示すように出力設定画面６０６が、本発明において複合機１００の操作部４０４に表示され、複合機１００の制御部４０３から取得した現在の日時６２５、ＲＡＭ１０８に格納した認証キー情報の使用可能日時５０７がユーザに視認できる形でメッセージ６２７として表示し、選択された印刷データの項目において印刷設定処理を行っている旨をユーザに視認できる形でメッセージ６２６として表示している。
【０１８４】
出力設定画面６０６は、印刷設定を行うか出力設定を行うかを定めるコンボボックス６６１が備えられ、コンボボックス６６１で選択された項目に準じて、それ以降の表示は変更される。
【０１８５】
印刷設定の処理には、印刷のレイアウトを設定する項目６６２と両面印刷を設定する項目６６４が表示され、印刷のレイアウトを設定する項目６６２には、レイアウトを詳細に設定する際に押下する詳細設定ボタン６６３が配置される。両面印刷には、両面印刷を行うかの有無と、とじ方向６６５を設定する項目が配置される。
【０１８６】
これら印刷設定については、複合機１００のプリンタ部１１７で設定出来る範囲のみ設定を可能とし、複合機１００の種類ごとに異なるものとする。
【０１８７】
ボタン処理として、印刷ボタン６６６と戻るボタン６６７がユーザに視認できる形で表示される。
【０１８８】
６６６、６６７のそれぞれのボタンについては、以降のフローチャートを説明する際に随時説明を行う。
【０１８９】
更に、図１４に示すように出力設定画面６０６は、本発明において操作部４０４に表示され、複合機１００の制御部４０３から取得した現在の日時６２５、ＲＡＭ１０８に格納した認証キー情報の使用可能日時５０７がユーザに視認できる形でメッセージ６２７として表示し、選択された印刷データの項目において出力設定処理を行っている旨をユーザに視認できる形でメッセージ６２６として表示している。
【０１９０】
出力設定画面６０６には、印刷設定を行うか出力設定を行うかを定めるコンボボックス６６１が備えられ、コンボボックスに６６１において選択された項目に準じてそれ以降の表示は変更される。出力設定の処理には、出力場所を設定する項目６６８が表示され、項目内には出力場所を詳細に設定する際に押下するための詳細設定ボタン６６９が配置される。
【０１９１】
これら出力設定については、複合機１００の外部Ｉ／Ｆ１１１に設置出来る外部メモリ１１３によって異なるものとし、それぞれの詳細設定もそれに付随する。ボタン処理として、出力ボタン６６６と戻るボタン６６７がユーザに視認できる形で表示される。
【０１９２】
６６６、６６７のそれぞれのボタンについては、以降のフローチャートを説明する際に随時説明を行う。
【０１９３】
尚、図１３に示す出力設定画面６０６は、印刷用紙等の記録媒体へ印刷する際に利用し、図１４に示す出力設定画面については、電子的なファイル等の記録媒体に出力する際に利用するが、コンボボックス６６１において選択した項目に応じて、表示の切り替えが行われている。
【０１９４】
以下、図２４のフローチャートの説明に戻る。
【０１９５】
ステップＳ８０２、ステップＳ８０６、ステップＳ８０８、及びステップＳ８１０において、複合機１００の制御部４０３は、操作部４０４に表示された出力設定画面６０６の各ボタン（６６３、６６６、６６７、６６９）が押されるかコンボボックス６６１の内容が変更されるまでそのままの状態を保持する。
【０１９６】
ステップＳ８０２において、複合機１００の操作部４０４に表示された出力設定画面６０６のコンボボックス６６１の設定が変更されたか否かを判定し、変更されたと判定したならば、ステップＳ８０３へ処理を進め、変更したと判定できなかった場合は、ステップＳ８０６へ処理を進める。
【０１９７】
ステップＳ８０３では、出力設定画面６０６の設定が印刷設定に変更されたと判定した場合は、ステップＳ８０４へ処理を進め、ステップＳ８０４では、複合機１００の制御部４０３は、操作部４０４に出力設定画面６０６の印刷設定を表示する。逆に、ステップＳ８０３において出力設定画面６０６の設定が出力設定に変更されたと判定した場合は、ステップＳ８０５では、複合機１００の制御部４０３は、操作部４０４に出力設定画面６０６の出力設定を表示する。
【０１９８】
ステップＳ８０６において、複合機１００の操作部４０４に表示された出力設定画面６０６の印刷設定の詳細設定ボタン６６３（もしくは出力設定の詳細設定ボタン６６９）が押された事を操作部４０４が認識したならば、ステップＳ８０７へ処理を進め、ステップＳ８０７では、複合機１００の制御部４０３は、印刷設定（もしくは出力設定）の詳細設定を行う。詳細設定の処理については、複合機１００毎に異なるものとする。
【０１９９】
詳細設定ボタン６６３（もしくは出力設定の詳細設定ボタン６６９）が押された事を操作部４０４が認識できなければ、ステップＳ８０８へ処理を進め、ステップＳ８０８では、複合機１００の操作部４０４に表示された出力設定画面６０６の印刷ボタン６６６（もしくは出力ボタン６６６）が押された事を操作部４０４が認識したならば、ステップＳ８０９において印刷処理の設定を行う。詳細については、以降の図２５のフロー図に記載する。
【０２００】
ステップＳ８１０において、複合機１００の操作部４０４に表示された出力設定画面６０６の戻るボタン６６７が押された事を操作部４０４が認識したならば、ステップＳ８１１において、１件項目表示の設定を行う。尚、詳細については、図２２に示すフローチャートを用いて説明した通りである。
【０２０１】
以下、ユーザが選択した印刷項目において、印刷処理について図２５に示すフローチャートを用いて説明する。
【０２０２】
ステップＳ９０１において、複合機１００の制御部４０３は、選択された印刷データの項目の印刷データをサーバ２００から受信し、ＨＤＤ１０９に保持しているか否かを判定し、ＨＤＤ１０９に保持していると判定した場合は、ステップＳ９０７へ処理を進め、ＨＤＤ１０９に保持していると判定できなかった場合は、ステップＳ９０２へ処理を進める。
【０２０３】
複合機１００のＨＤＤ１０９内にデータが保持されていなければ、ステップＳ９０２では、複合機１００の制御部４０３は、選択された項目の印刷データをサーバ２００に要求する。
【０２０４】
複合機１００の制御部４０３がデータ取得部４０２を介してサーバ２００に要求する印刷データは、リスト情報５０８のファイル５５２と、出力処理中に操作部４０４に表示するデータ出力中画面６０７（後述図１５）を構成する為に使用する付随情報ファイル５５７からなる。
【０２０５】
サーバ２００は、ステップＳ９０３において、複合機１００から送信された印刷データの要求を受信する。
【０２０６】
ステップＳ９０４において、サーバ２００は、複合機１００から要求された印刷データを取得する。
【０２０７】
ステップＳ９０５において、サーバ２００は、要求された印刷データを複合機１００に送信する。
【０２０８】
サーバ２００に要求していた印刷データを、複合機１００のデータ取得部４０２にて受信したならば、ステップＳ９０６において、制御部４０３は、データ取得部４０２からＨＤＤ１０９内に一旦データを格納する。
【０２０９】
ステップＳ９０７において、複合機１００の制御部４０３は、印刷処理か出力処理かを各画面の備えつけられたボタンの押下によって（印刷ボタン６４４、印刷ボタン６５３、出力設定画面６０６の印刷ボタン６６６については印刷処理、出力設定画面６０６の出力ボタン６６６は出力処理）判定し、印刷処理ならば、ステップＳ９０８へ処理を進め、ステップＳ９０８では、印刷処理を開始する。印刷処理では、まずデータ出力中画面６０７を複合機１００の操作部４０４に表示する。
【０２１０】
図１５に示すようにデータ出力中画面６０７は、操作部４０４に表示され、複合機１００の制御部４０３から取得した現在の日時６２５、ＲＡＭ１０８に格納した認証キー情報の使用可能日時５０７がユーザに視認できる形のメッセージ６２７で表示し、出力処理を示すメッセージ６７２と、サーバ２００から取得しＨＤＤ１０９に一旦格納している付随情報ファイル５５７の内容６７３を表示している。
【０２１１】
以下、図２５に示す印刷処理のフローチャートの説明に戻る。
【０２１２】
ステップＳ９０８における印刷処理は、複合機１００の制御部４０３は、ＨＤＤ１０９に保存している印刷データのファイル５５２を、印刷部４０５を介してプリンタ部１１７に紙ベースで出力する。
【０２１３】
印刷処理が完了すると、ステップＳ９１２において、複合機１００の制御部４０３は、ＨＤＤ１０９に一旦格納していたファイル５５２と付随情報ファイル５５７を削除する。
【０２１４】
ステップＳ９１３において、複合機１００の制御部４０３は、処理を行っていた印刷データの項目について、ＲＡＭ１０８に格納しているリスト情報５０８の出力回数５５５に１を加算する。
【０２１５】
ステップＳ９１４において、複合機１００の制御部４０３は、ＲＡＭ１０８に格納しているリスト情報５０８を、認証キー設定部４０１を介して認証キー３０１の情報を更新する。
【０２１６】
ステップＳ９１４の完了と共に、複合機１００の操作部４０４に表示していたデータ出力中画面６０７を閉じる。
【０２１７】
ステップＳ９０７において出力処理が選択されたと判定した場合、ステップＳ９０９において、複合機１００の制御部４０３は、印刷データを出力する先の外部メモリ１１３を認識しているか否かを判定し、出力する先の外部メモリ１１３を認識していると判定した場合、ステップＳ９１０へ処理を進め、出力する先の外部メモリ１１３を認識していると判定出来なかった場合、ステップＳ９１１へ処理を進める。
【０２１８】
出力先の外部メモリ１１３を認識していたならば、複合機１００の制御部４０３は、ステップＳ９１０において出力処理を開始する。
【０２１９】
出力処理は、まずデータ出力中画面６０７を複合機１００の操作部４０４に表示し、出力部４０６は、ＨＤＤ１０９に保存している印刷データのファイル５５２を外部Ｉ／Ｆ１１１を介して外部メモリ１１３にデータをコピーする。
【０２２０】
出力処理が完了すると、印刷処理と同等にステップＳ９１２〜ステップＳ９１４の処理を行う。
【０２２１】
もしステップＳ９０９において、出力先が認識されていなければ、ステップＳ９１１において、複合機１００の制御部４０３は、エラーメッセージを操作部４０４に表示している出力設定画面６０６に表示し、ステップＳ９０７に処理を戻る。
【０２２２】
以下、図１７のフローチャートの説明に戻る。
【０２２３】
ステップＳ１１０において、複合機１００の制御部４０３は、認証キー設定部４０１を介してユーザによって認証キー３０１が認証キーＲ／Ｗ３０１から取りはずされたか否かを判定し、取りはずされたと判定した場合は、ステップＳ１１１へ処理を進め、取りはずされたと判定できなかった場合、ステップＳ１０７へ処理を進める。
【０２２４】
認証キー３０１が取りはずされたならば、ステップＳ１１１において、終了処理と共に認証キー抜取時画面６０８を複合機の操作部４０４に表示する。逆に抜かれていない場合は、ステップＳ１０７に戻り全体リスト表示の処理を行う。
【０２２５】
図１６に示す通り認証キー抜取時画面６０８は、複合機１００の操作部４０４に表示され、複合機１００の制御部４０３から取得した現在の日時６２５と終了メッセージ６７４が表示されている。
【０２２６】
以下、図１７のフローチャートの説明に戻る。
【０２２７】
終了処理が完了と共に、認証キー抜取時画面６０８を閉じ全ての処理が完了する。
【０２２８】
また、認証キー３０１が使用出来ない場合や、サーバ２００との接続が出来なかった場合は、ステップＳ１１２において、複合機１００の制御部４０３は、認証キー３０１を抜く処理以外実行不可とする設定にし、ステップＳ１１３において認証キー３０１が抜かれるまで処理を待ち続ける。
【０２２９】
認証キー３０１が抜かれた事を複合機１００の認証キー設定部４０１を介して制御部が認識したならば、ステップＳ１１１へ処理を進める。
【０２３０】
以上、本発明によれば、ユーザが保持する記録媒体に印刷可能な印刷物に関する情報を記録することによって、ユーザ自身の手を煩わす事無く、ユーザが必要な印刷物を出力することができる。
【０２３１】
また、実施形態例を詳述したが、本発明は、例えば、方法、プログラムもしくは記憶媒体等としての実施態様をとることが可能であり、具体的には、複数の機器から構成されるシステムに適用しても良いし、また、一つの機器からなる装置に適用しても良い。
【０２３２】
また、本発明におけるプログラムは、各処理方法をコンピュータが実行可能（読み取り可能）なプログラムであり、本発明の記憶媒体は、各処理方法をコンピュータが実行可能なプログラムが記憶されている。
【０２３３】
なお、本発明におけるプログラムは、各装置の処理方法ごとのプログラムであってもよい。
【０２３４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０２３５】
この場合、記録媒体から読み出されたプログラム自体が本発明の新規な機能を実現することになり、そのプログラムを記憶した記録媒体は本発明を構成することになる。
【０２３６】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０２３７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２３８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２３９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０２４０】
さらに、本発明を達成するためのプログラムをネットワーク上のサーバ，データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０２４１】
１００  複合機
２００  サーバ
１０１  ＣＰＵ
１０２  ＲＯＭ
【０２４２】
１０３  Ｎｅｔｗｏｒｋ  Ｉ／Ｆ
【０２４３】
１０４  ＭＯＤＥＭ
【０２４４】
１０５  操作部Ｉ／Ｆ
１０６  操作部
【０２４５】
１０７  システムバス
１０８  ＲＡＭ
１０９  ＨＤＤ
【０２４６】
１１０  ＩＭＡＧＥ
【０２４７】
１１１  外部Ｉ／Ｆ
【０２４８】
１１２  認証キーＲ／Ｗ
【０２４９】
１１３  外部メモリ
１１４  画像バス
１１５  ＲＩＰ
１１６  プリンタ
【０２５０】
１１７  プリンタ部
１１８  スキャナ
【０２５１】
１１９  スキャナ部
【０２５２】
１２０  画像処理部
２０１  ＣＰＵ
２０２  ＲＯＭ
２０３  ＲＡＭ
【０２５３】
２０４  Ｎｅｔｗｏｒｋ
【０２５４】
２０５  システムバス
【０２５５】
２０６  ビデオコントローラ
２０７  モニタ
２０８  ＨＤＤ
【０２５６】
２０９  入力コントローラ
【０２５７】
２１０  Ｋｅｙｂｏｒａｄ
【０２５８】
２１１  メモリコントローラ
【０２５９】
２１２  外部メモリ（ＨＤ、ＦＤ）
３０１  認証キー
【０２６０】
３０２  認証キーＲ／Ｗ
【０２６１】
３０３  認証キー接続ケーブル
３０４  ＬＡＮ
【図１】
2011138412.tif 000003
【図２】
2011138412.tif 000004
【図３】
2011138412.tif 000005
【図４】
2011138412.tif 000006
【図５】
2011138412.tif 000007
【図６】
2011138412.tif 000008
【図７】
2011138412.tif 000009
【図８】
2011138412.tif 000010
【図９】
2011138412.tif 000011
【図１０】
2011138412.tif 000012
【図１１】
2011138412.tif 000013
【図１２】
2011138412.tif 000014
【図１３】
2011138412.tif 000015
【図１４】
2011138412.tif 000016
【図１５】
2011138412.tif 000017
【図１６】
2011138412.tif 000018
【図１７】
2011138412.tif 000019
【図１８】
2011138412.tif 000020
【図１９】
2011138412.tif 000021
【図２０】
2011138412.tif 000022
【図２１】
2011138412.tif 000023
【図２２】
2011138412.tif 000024
【図２３】
2011138412.tif 000025
【図２４】
2011138412.tif 000026
【図２５】
2011138412.tif 000027